(57)【要約】      （修正有）【課題】酒の注入がどこから行われたのか分からないようにして需要者に興味を持たせることができるとともに、竹の成分を酒に滲出させて竹の風味を楽しむこともでき、また竹本来の美観を酒用の容器としても生かすことのできる竹筒の酒器を提供する。【解決手段】上下一対の節２，２間の閉塞空間５に内容物１０が封入されてなる竹筒の酒器１において、一方の切断面に外口３１を有し、閉塞空間５に臨む内周壁面５１に内口３２を有する内容物注入孔３より内容物１０が閉塞空間５に注入され、内容物注入孔３の外口３１が、酒器１の切り出し元の竹から成形された栓体４によって密栓されるとともに、内容物注入孔３の外口３１と栓体４の後端部の両方が削り取られ、削り取りによって栓体４の後端部における削り出し面４１が切断面と同化された竹筒の酒器である。【選択図】図２
0003160411.tif 000002
【実用新案登録請求の範囲】
【請求項１】
上下一対の節間の閉塞空間に内容物が封入されてなる竹筒の酒器において、
一方の切断面に外口を有し、前記閉塞空間に臨む内周壁面に内口を有する内容物注入孔より内容物が前記閉塞空間に注入され、前記内容物注入孔の外口が、当該酒器の切り出し元の竹から成形された栓体によって密栓されるとともに、前記内容物注入孔の外口と前記栓体の後端部の両方が削り取られ、削り取りによって前記栓体の後端部における削り出し面が前記切断面と同化されたことを特徴とする竹筒の酒器。
【考案の詳細な説明】
【技術分野】
【０００１】
本考案は、竹筒を利用した酒器に関し、特に、注入箇所が一見しただけでは分からないように加工された竹筒の酒器に関する。
【背景技術】
【０００２】
竹は、特有の美観を有するため、従来から酒盃などとして用いられている。また、青竹を用いると、青竹の成分を酒に溶け込ませることができるので、より風味豊かな酒を作り出すという効果もある。
【０００３】
そこで従来、一対の節を残した竹筒に節間の閉塞空間内へ通じる内容物注入孔を形成し、そこから内容物を閉塞空間内に注入し、注入後に注入孔に栓をして保存できるようにした竹筒の容器が提案されている。（例えば、特許文献１、２参照）。
【先行技術文献】
【特許文献】
【０００４】
【特許文献１】実開平０６−０３７１４３号公報
【特許文献２】特開２００６−２３２３４６号公報
【考案の概要】
【考案が解決しようとする課題】
【０００５】
しかし、特許文献１に記載の容器では、手にとって眺めると栓の切断面が見え、内容物をこの部分から注入したものであると簡単にわかってしまうため、需要者のこの種容器に対する興味が半減してしまうといった不都合があった。
【０００６】
一方、特許文献２に記載の容器では、内容物注入孔の外口が竹製の栓体により密封されるとともに、該内容物注入孔の外口と栓体の後端部の両方が、外周壁面から一方の節の外方空間に向けて貫通穴を形成することにより削取され、この削取により栓体の後端部における削取面が貫通穴の内面と同化されているため、特許文献１に記載の容器のような不都合はない。しかしながら、栓体の後端部を削り取るために貫通穴を形成していることから、貫通穴内に注入孔が存在すると需要者に簡単に推測されるうえ、栓に用いる竹が必ずしも容器の切り出し元の竹から採取されている訳ではないため、竹製の栓を使用したとしても、竹一本一本の材質や色が異なることから、同化の程度が高いとはいえない。このため、貫通穴が存在することとも相まって、結局は特許文献２の記載の容器にあっても需要者に内容物注入孔の位置を特定されてしまう、といった不都合があった。
【０００７】
本考案は上記従来の問題を解決すべく創案されたものであり、酒の注入孔がどこから行われたのか分からないようにして需要者に興味を持たせることができるとともに、竹の成分を酒に滲出させて竹の風味を楽しむこともでき、また竹本来の美観を酒用の容器としても生かすことのできる竹筒の酒器を提供することを目的とする。
【課題を解決するための手段】
【０００８】
上記課題を解決するため、本考案にかかる竹筒の酒器は、上下一対の節間の閉塞空間に内容物が封入されてなる竹筒の酒器において、一方の切断面に外口を有し、閉塞空間に臨む内周壁面に内口を有する内容物注入孔より内容物が閉塞空間に注入され、内容物注入孔の外口が、酒器の切り出し元の竹から成形された栓体によって密栓されるとともに、内容物注入孔の外口と栓体の後端部の両方が削り取られ、削り取りによって栓体の後端部における削り出し面が切断面と同化されたことを特徴とするものである。
【０００９】
この特定事項により、内容物注入孔は竹筒の切り出し元から成形された栓体によって密栓されるので、つまり竹筒と栓体との材質が同一のものであるので、竹筒の切断面と栓体の後端部との同化の程度は極めて高いものとなる。
【考案の効果】
【００１０】
本考案によれば、酒の注入孔がどこから行われたのか分からないようにして需要者に興味を持たせることができるとともに、竹の成分を酒に滲出させて竹の風味を楽しむこともでき、また竹本来の美観を酒用の容器としても生かすことのできる竹筒の酒器を提供することができる。
【図面の簡単な説明】
【００１１】
【図１】本考案に係る竹筒の酒器の加工前を示す斜視図である。
【図２】竹筒の酒器に内容物が注入される工程を示す部分断面図である。
【図３】竹筒の酒器の切断面と栓体の切断面が同化されたことを示す斜視図である。
【考案を実施するための形態】
【００１２】
以下、本考案に係る竹筒の酒器の実施形態について、図面を参照して説明する。
【００１３】
図１は、竹筒の酒器を加工前を示す斜視図、図２は、竹筒の酒器に内容物が注入される工程を示す部分断面図、図３は、竹筒の切断面と栓体の切断面とが同化されたことを示す斜視図である。
【００１４】
この竹筒の酒器１は、図１〜図３に示すように、上下一対の節２，２間の閉塞空間５に内容物（酒）１０が封入されてなるものである。この酒器１は、一方の切断面８に外口３１を有し、閉塞空間５に臨む内周壁面５１に内口３２を有する内容物注入孔３より内容物１０が閉塞空間５に注入され、内容物注入孔３の外口３１が、この酒器１の切り出し元の竹から成形された栓体４によって密栓されるとともに、内容物注入孔３の外口３１と栓体４の後端部の両方が削り取られ、削り取りによって栓体４の後端部における削り出し面４１が切断面８と同化されたものである。
【００１５】
竹としては青竹が好適である。また、内容物は、焼酎や日本酒等の酒類が挙げられる。
【００１６】
このようになる竹筒の酒器１から内容物を取り出すには、適当な器具を用いて一方の節２の一部に穴を開けるか、または節２そのものを抜くなどすればよい。
【００１７】
次に、酒器１内に内容物１０を注入する方法について、図２を参照して説明する。
【００１８】
まず、図２(a)に示すように、一方の切断面（図示例では上方の切断面）８から閉塞空間５に臨む内周壁面５１に向けて、内容物注入孔３を、例えば小径のドリルや錐等の工具を用いて形成する。これにより一方の切断面８に外口３１を有する一方閉塞空間５に臨む内周壁面５１に内口３２を有する内容物注入孔３が形成される。
【００１９】
次に、図２(b)に示すように、例えばシリンジなどの適宜の注入器具２０を用いて内容物１０を内容物注入孔３から閉塞空間５内に所定量注入する。
【００２０】
所定量の内容物１０を注入したならば、図２(ｃ)に示すように、内容物注入孔３内にその外口３１から竹製の栓体４を叩き込むにようにして差し込み、内容物注入孔３を栓体４で密封する。ここで、栓体４としては、酒器１の切り出し元の竹と同じ竹から成形されたものを用いる。なお、栓体４の差込深さは、内容物１０が内容物注入孔３より漏出するのを防止し得る範囲内で任意である。
【００２１】
以上のようにして内容物注入孔３を栓体４で密封したならば、図２（ｄ）に示すように、栓体４の後端部を切除するとともに、内容物注入孔３の外口３１と栓体４の後端部の両方を一緒に削り取るように切断面８の表面を削る。これにより、図３に示すように、切断面８と栓体４の削り出し面４１とが同化する。そして、栓体４は、上記したように、酒器１の切り出し元の竹と同じ竹から成形されたものであるから、切断面８には内容物注入孔３の痕跡が残らない。
【符号の説明】
【００２２】
１      竹筒の酒器
２      節
３      内容物注入孔
３１  外口
３２  内口
４      栓体
４１  削り出し面
５      閉塞空間
８      竹筒の切断面
１０  内容物
【図１】
0003160411.tif 000003
【図２】
0003160411.tif 000004
【図３】
0003160411.tif 000005